(57)【特許請求の範囲】
【請求項１】
カートリッジケース内に配される感光体ドラムを有し、前記カートリッジケースを介して画像形成装置に着脱可能に装着される画像形成カートリッジにおいて、
前記感光体ドラム内の回転中心軸上に配され、前記カートリッジケースに支持される導電性を有する軸部材と、
前記感光体ドラムの一端側の内部に固定され、前記軸部材に回転及び移動可能に装着されて前記感光体ドラムを前記軸部材上で回転可能に支持する導電性を有するドラム支持部材と、
前記軸部材の前記ドラム支持部材の近傍周面に回転及び移動可能に装着され、前記感光体ドラムを接地するために導電材から形成されているカラーと、
前記感光体ドラムを回転駆動するために該感光体ドラムの他端に設けられる駆動ギヤから成り、その駆動で前記感光体ドラムを介して前記ドラム支持部材に前記カラーを押圧して接触させるべくスラスト力を加えるスラスト付与手段と、
前記押圧されたカラーの前記軸部材上の移動を阻止するストッパーと、を含むことを特徴とする画像形成カートリッジ。
【請求項２】
前記ドラム支持部材は導電性樹脂から形成され、前記軸部材の周面との接触面積を小さくするためのコーン状の装着穴を有していることを特徴とする請求項１記載の画像形成カートリッジ。
【請求項３】
前記軸部材の端部は前記カートリッジケースを貫通し、その端面が画像形成装置を構成するフレームに固定されている接地用弾性部材に当接されることを特徴とする請求項１記載の画像形成カートリッジ。
【請求項４】
前記スラスト付与手段は、前記感光体ドラムの他端に同軸的に固定される回転用はすば歯車と、該はすば歯車に噛み合う他のはすば歯車から成る駆動ギヤであることを特徴とする請求項１記載の画像形成カートリッジ。
【請求項５】
前記ストッパーは、前記軸部材の周面に固定されるリング部材であることを特徴とする請求項１記載の画像形成カートリッジ。
【請求項６】
前記ストッパーは、前記カートリッジケースの前記カラーと対向する壁面であることを特徴とする請求項１記載の画像形成カートリッジ。
【請求項７】
カートリッジケース内に配される円筒状の感光体ドラムを有し、前記カートリッジケースを介して画像形成装置に着脱可能に装着される画像形成カートリッジにおいて、
前記感光体ドラム内の回転中心軸上に配され、前記カートリッジケースに両端が固定的に支持されるシャフトと、
前記感光体ドラムの一端側の内部に固定され、前記シャフトの一端側周面に回転及び移動可能に装着されて前記感光体ドラムを前記シャフト上で回転可能に支持する導電性樹脂から成るドラム支持部材と、
前記シャフトの前記ドラム支持部材の近傍周面に回転及び移動可能に装着され、前記感光体ドラムを前記シャフトを介して接地するために導電性金属から形成されているカラーと、
前記感光体ドラムの他端に同軸的に固定されて前記シャフトの他端側周面に回転及び移動可能に装着されるはすば歯車であって、画像形成装置の駆動用はすば歯車に噛み合って、前記感光体ドラムを介して前記ドラム支持部材を前記カラーに押圧して接触させるべく前記感光体ドラムにスラスト力を加えるはすば歯車と、
前記押圧されたカラーの前記シャフト上の移動を阻止するストッパーと、を含むことを特徴とする画像形成カートリッジ。
【請求項８】
前記ドラム支持部材は、前記シャフトの周面との接触面積を小さくするためのコーン状の装着穴と、該シャフトの周面に接触する小径部とを有することを特徴とする請求項７記載の画像形成カートリッジ。
【請求項９】
前記シャフトの一端は、前記カートリッジケースを貫通し、該一端の端面が画像形成装置を構成するフレームに固定される接地用弾性部材に当接されることを特徴とする請求項７記載の画像形成カートリッジ。
【請求項１０】
前記ストッパーは、前記軸部材の周面に固定されるリング部材であることを特徴とする請求項７記載の画像形成カートリッジ。
【請求項１１】
前記ストッパーは、前記カートリッジケースの前記カラーと対向する壁面であることを特徴とする請求項７記載の画像形成カートリッジ。
【請求項１２】
感光体ドラムが回転可能に配される画像形成装置において、
前記感光体ドラム内の回転中心軸上に軸支される導電性を有する軸部材と、
該軸部材に回転及び移動可能に装着されて前記感光体ドラムを前記軸部材上で回転可能に支持する導電性を有するドラム支持部材と、
前記感光体ドラムの一端側の内部に固定され、前記前記軸部材の前記ドラム支持部材の近傍周面に回転及び移動可能に装着され、前記感光体ドラムを接地するために導電材から形成されているカラーと、
前記感光体ドラムを回転駆動するために該感光体ドラムの他端に設けられる駆動ギヤから成り、その駆動で前記感光体ドラムを介して前記ドラム支持部材に前記カラーを押圧して接触させるべくスラスト力を加えるスラスト付与手段と、
前記押圧されたカラーの前記軸部材上の移動を阻止するストッパーと、を含むことを特徴とする画像形成装置。
【請求項１３】
前記ドラム支持部材は導電性樹脂から形成され、前記軸部材の周面との接触面積を小さくするためのコーン状の装着穴を有していることを特徴とする請求項１２記載の画像形成装置。
【請求項１４】
前記スラスト付与手段は、前記感光体ドラムの他端に同軸的に固定される回転用はすば歯車と、該はすば歯車に噛み合う他のはすば歯車から成る駆動ギヤであることを特徴とする請求項１２記載の画像形成装置。
【請求項１５】
前記ストッパーは、前記軸部材の周面に固定されるリング部材であることを特徴とする請求項１２記載の画像形成装置。
【発明の詳細な説明】
【０００１】
【発明の属する技術分野】
本発明は、電子写真方式を適用した画像形成カートリッジ及び画像形成装置に関する。
【０００２】
【従来の技術】
従来、電子写真方式を適用した画像形成装置においては、画像形成カートリッジが着脱自在に配設されたものがある。この画像形成カートリッジは、内部に感光体ドラムを備え、該感光体ドラムの周囲に帯電手段、露光手段、現像手段、転写手段及びクリーニング手段を備えている。そして上記各部材がカートリッジケースに覆われることにより、画像形成カートリッジが形成されている。
【０００３】
なお、上記感光体ドラムにおいては、フランジの中心に形成された軸受部に回転軸が嵌入されており、これにより感光体ドラムが接地（アース）されるようになっている（実開昭６２−４９１７５号公報参照）。
【０００４】
以下従来例の画像形成カートリッジの構造について説明する。図１２は従来例の画像形成カートリッジを示す要部断面図である。
図１２において、画像形成カートリッジ１全体を覆うカートリッジケース２内部には、感光体ドラム３が設けられている。この感光体ドラム３は円筒状のアルミニウム合金材等から成る導電性基材の上に電荷発生層及び電荷輸送層を形成することによって構成される。そしてこの感光体ドラム３の両端部には金属製又は導電性樹脂製のドラム支持部材４、５が圧入又は接着されている。そしてカートリッジケース２に形成された軸受け穴２ａにドラム支持部材４の軸部が回転可能に係入している。そしてこれにより、感光体ドラム３は軸受け穴２ａによってカートリッジケース２に対して回転自在に支持される。なお、ドラム支持部材４の周面の一部にはギヤ６が配設されている。
【０００５】
画像形成装置を構成するフレーム７には位置決めピン８、９が装置内側方向へ向けて突出した状態で取付けられている。この位置決めピン８、９はドラム支持部材４、５それぞれの中心に形成された回転中心穴に嵌入されている。そしてドラム支持部材４の内側の端面には導電性の環状の導電性バネ部材１０が取り付けられている。この導電性バネ部材１０の周縁は感光体ドラム３の内周面に接触し、且つ導電性バネ部材１０の周縁から中心に向けて延びる突出部１０ａは位置決めピン８の先端部と接触するように配設されている。
このように、感光体ドラム３は、導電性バネ部材１０と、位置決めピン８を介してフレーム７に電気的に接続され、フレーム７にて接地されている。
【０００６】
【発明が解決しようとする課題】
ところで、ドラム支持部材４の回転中心穴を形成する内周壁面と位置決めピン８の周面との真円度誤差が大きいと、感光体ドラム３の回転に伴ってドラム支持部材４が回転した場合、位置決めピン８の周面が上記回転中心穴を形成している内周壁面に摺接するため、感光体ドラム３の回転速度が変動する虞れがある。
位置決めピン８と上記回転中心穴との間にベアリングを配することも考えられるが、その分だけ部品点数が増加するため、コスト増を招いてしまう。
【０００７】
一方、ドラム支持部材４の厚さ寸法を小さくする等により位置決めピン８の周面の接触面積を小さくして、摺接量を減少させることも可能である。しかし、ドラム支持部材４を導電性樹脂から形成する場合に接触面積を小さくすると、導電性金属よりも導電性が劣るため、感光体ドラム３を安定的に接地できない。この結果、画像品質が低下したり、ノイズが発生して装置が誤動作する虞れがあった。
従って、本発明の目的は、感光体ドラムを等速で回転させ、かつ感光体ドラムを安定的に接地することが可能な構成を有する画像形成カートリッジを提供することにある。
また、他の発明の目的は、感光体ドラムを等速で回転させ、かつ感光体ドラムを安定的に接地することが可能な構成を有する画像形成装置を提供することにある。
【０００８】
【課題を解決するための手段】
上記課題を解決するために本発明は、カートリッジケース内に配される感光体ドラムを有し、カートリッジケースを介して画像形成装置に着脱可能に装着される画像形成カートリッジにおいて、感光体ドラム内の回転中心軸上に配され、カートリッジケースに支持される導電性を有する軸部材と、感光体ドラムの一端側の内部に固定され、軸部材に回転及び移動可能に装着されて感光体ドラムを軸部材上で回転可能に支持する導電性を有するドラム支持部材と、軸部材のドラム支持部材の近傍周面に回転及び移動可能に装着され、感光体ドラムを接地するために導電材から形成されているカラーと、感光体ドラムを回転駆動するために該ドラムの他端に設けられる駆動ギヤから成り、その駆動で感光体ドラムを介してドラム支持部材にカラーを押圧して接触させるべくスラスト力を加えるスラスト付与手段と、押圧されたカラーの軸部材上の移動を阻止するストッパーと、を含むことを特徴とする。
また、他の発明は、感光体ドラムが回転可能に配される画像形成装置において、感光体ドラム内の回転中心軸上に軸支される導電性を有する軸部材と、該軸部材に回転及び移動可能に装着されて感光体ドラムを軸部材上で回転可能に支持する導電性を有するドラム支持部材と、感光体ドラムの一端側の内部に固定され、軸部材のドラム支持部材の近傍周面に回転及び移動可能に装着され、感光体ドラムを接地するために導電材から形成されているカラーと、感光体ドラムを回転駆動するために該感光体ドラムの他端に設けられる駆動ギヤから成り、その駆動で感光体ドラムを介してドラム支持部材にカラーを押圧して接触させるべくスラスト力を加えるスラスト付与手段と、押圧されたカラーの軸部材上の移動を阻止するストッパーと、を含むことを特徴とする。
【０００９】
上記構成によれば、カラーにドラム支持部材を接触させることにより、感光体ドラムを確実に接地させることができる。その結果、画像品位が低下したり、ノイズが発生して誤動作が生じてしまうことを防止できる。
【００１０】
またカラー等を用いて感光体ドラムを確実に接地させることができるので、ドラム支持部材の軸部材との接触面積を小さくすることができる。その結果、軸部材とドラム支持部材間の摺接抵抗を小さくすることができ、これにより、感光体ドラムを円滑に回転させることもでき、かつベアリングも不要である。
【００１１】
【発明の実施の形態】
以下、本発明の実施の形態を図面に従って説明する。なお各図面に共通する要素には同一の符号を付す。図１は本発明に係る実施の形態の画像形成カートリッジの要部断面図、図２は同画像形成カートリッジを組み込んだ画像形成装置の構成図、図３はカラーが取り付けられたドラムシャフトを示す正面図、図４は同画像形成カートリッジの要部の拡大断面図、図５はカラーを示す正面図、図６は同カートリッジの側面図、図７は回転駆動手段を示す斜視図、図８は他のカラーを示す斜視図、図９は他のカラーが取り付けられた画像形成カートリッジを示す部分断面図である。
【００１２】
図２において、電子写真方式を適用した画像形成装置１１には、画像形成カートリッジ１２及びトナーカートリッジ１３が着脱自在に装着されている。上記画像形成カートリッジ１２はカートリッジケース１４を有し、このカートリッジケース１４内部には、静電潜像担持体である感光体ドラム１５が配されている。
【００１３】
感光体ドラム１５の周囲には、感光体ドラム１５表面を帯電するための帯電ローラ１７と、現像ローラ１８と、転写後の感光体ドラム１５表面に残留した残留トナーを除去するクリーニングブレード１９が設けられている。なおクリーニングブレード１９によって除去されたトナーはスパイラルスクリュー２０によって図示せぬ廃トナーボックスに蓄えられる。
【００１４】
上記現像ローラ１８は現像装置２１を構成し、半導電性ゴム材によって形成されている。現像ローラ１８の外周面には、現像ブレード２２及びスポンジローラ２３が圧接されている。現像ブレード２２及びスポンジローラ２３はケース１４と共にトナー収納部２４を形成している。該トナー収納部２４にはトナーを攪拌するための攪拌部材２５が配設され、該攪拌部材２５の上方にトナーカートリッジ１３が配設されている。なお、該トナーカートリッジ１３は内部のトナーが無くなると、交換される。
なお、上記帯電ローラ１７、現像ローラ１８、スポンジローラ２３、攪拌部材２５等はいずれもカートリッジケース１４に回転自在に支持されている。
【００１５】
次に上記現像装置２１の動作について説明する。
まず、トナー収納部２４内の非磁性１成分のトナーは、スポンジローラ２３を介して現像ローラ１８に供給され、該現像ローラ１８の回転に伴って現像ブレード２２まで送られ、該現像ブレード２２によって現像ローラ１８上において薄層化される。その後、薄層化されたトナーは現像ローラ１８の回転に伴って該現像ローラ１８と感光体ドラム１５との間の現像部に送られ、感光体ドラム１５上の静電潜像の形成部に付着してトナー像を形成する。
【００１６】
なお、上記トナーは現像ブレード２２によって薄層化されるとき、現像ローラ１８及び現像ブレード２２によって強く擦られ摩擦によって帯電させられる。本実施の形態においては、上記トナーは負の極性に帯電させられる。
【００１７】
次に、上記帯電ローラ１７と現像ローラ１８との間であって感光体ドラム１５に対向した位置に設けられているＬＥＤヘッド２７について説明する。ＬＥＤヘッド２７は、図示せぬ複数のＬＥＤ素子から成るＬＥＤアレイ、該ＬＥＤアレイを駆動するドライバＩＣが搭載された図示せぬ基板、上記各ＬＥＤ素子の光を集光する図示せぬロッドレンズアレイ等から成り、外部から送信された画像データ信号に対応させて各ＬＥＤ素子を選択的に発光させ、上記感光体ドラム１５の表面を露光し、感光体ドラム１５の表面に静電潜像を形成する。そして該静電潜像に上記現像ローラ１８上のトナーが静電気力によって付着してトナー像が形成される。なお、上記ＬＥＤヘッド２７にはバネ２８の一端部が取り付けられており、このバネ２８の付勢力によって図２に示す矢印Ｂ方向に向けて付勢される。バネ２８の他端部は後述する開閉カバー３０に固定された支持部材３１によって支持される。
【００１８】
感光体ドラム１５の周囲には転写ローラ３５が配されている。この転写ローラ３５は、感光体ドラム１５に一定の力で押し付けられ、感光体ドラム１５表面に形成されたトナー像を、後述するレジストローラにより搬送されてきた用紙に転写する。また現像装置２１よりも用紙搬送方向下流側には、転写されたトナーを用紙に定着する加熱ローラ３８及び加圧ローラ３９によって構成される定着器４０が設けられている。
【００１９】
画像形成装置１１には用紙給送部３３が設けられている。この用紙給送部３３にはホッパーステージ４４が設けられている。このホッパーステージ４４には用紙３２が積載されており、一部にはバネ４５の一端部が取り付けられている。そしてこのバネ４５の押圧力により用紙３２は、上方に配されている給送ローラ３４に押圧される。なお、バネ４５の他端部は用紙給送部３３の底面に取り付けられている。そして上記給送ローラ３４の回転により用紙給送部３３に積載されている用紙３２が画像形成装置１１内へと繰出される。
【００２０】
この繰出された用紙３２はレジストローラ３６、３７まで搬送され、このレジストローラ３６、３７により感光体ドラム１５と転写ローラ３５との間の転写部まで搬送され、該転写部において感光体ドラム１５上のトナー像が転写ローラ３５によって用紙３２に転写される。用紙３２は定着器４０まで搬送され、加熱ローラ３８及び加圧ローラ３９によってトナー像が定着される。そしてトナー像が定着された用紙３２は排出ローラ４１、４２によって画像形成装置１１外に排出される。
【００２１】
また画像形成装置１１は、開閉カバー３０を有している。開閉カバー３０はヒンジ４３を中心としてフレーム２９に対して矢印Ｃ−Ｄ方向に回動自在に設けられている。なお、開閉カバー３０を開けた状態において、画像形成カートリッジ１２を画像形成装置１１本体に対して着脱することができる。
【００２２】
次に上記感光体ドラム１５について説明する。感光体ドラム１５は円筒状のアルミニウム合金材等から成る導電性基材の上に電荷発生層及び電荷輸送層を形成することによって構成されている。感光体ドラム１５内には図１、図３に示す導電体から成る軸部材としての金属製ドラムシャフト１６が配されている。このドラムシャフト１６の両端部はカートリッジケース１４の側壁１４ａ、１４ｂに形成された軸受け穴を貫通している。
【００２３】
画像形成装置１１のフレーム２９（２９ａ、２９ｂ）には、上下方向に沿う係入長孔２９ｃが形成されている。ドラムシャフト１６の両端部１６ａ、１６ｂは、カートリッジケース１４の側壁１４ａ、１４ｂから突出した状態でフレーム２９の各係入長孔に係入されている。これにより、ドラムシャフト１６は画像形成装置１１のフレーム２９に対して位置決めされる。ドラムシャフト１６の一部には後述するＥリングの一部が入り込む溝１６ｄが形成されている（図３及び図４参照）。
【００２４】
図１、図４に示すように感光体ドラム１５の一端側の内部には、導電性のドラム支持部材４８が圧入又は導電性接着剤によって固定されている。このドラム支持部材４８及び後述するギヤは、ドラムシャフト１６上に回転可能に取付けられている。従って、感光体ドラム１５はドラムシャフト１６を中心として図２に示す矢印Ａ方向に回転可能となる。ドラム支持部材４８は、ドラムシャフト１６の周面と非接触のコーン状の穴部を有し、導電金属から成るカラー４９に対向する小径部のみがドラムシャフト１６の周面と接触している。
【００２５】
カラー４９は、ドラムシャフト１６の感光体ドラム１５から突出する端部上に、回転及び移動可能に装着されている。また、ドラムシャフト１６の端部には、図４及び図６に示すように、溝１６ｄに嵌り込んだ状態でＥリング５０が取付けられている。このＥリング５０にはカラー４９の端面が当接されている。このＥリング５０はカラー４９がドラム支持部材４８を介して後述するスラスト力によって押付けられた場合に移動するのを阻止するストッパーであり、カラー４９とドラム支持部材４８とを確実に接触させて電気的に接続する。
【００２６】
図１、図４において、フレーム２９ａには、導電性のバネ部材４６がピン４７によって取り付けられている。このバネ部材４６は接地され、その自由端側には、ドラムシャフト１６の端面１６ｃが圧接した状態で接触している。従って、端面１６ｃとバネ部材４６とは確実に電気的に接続されることになる。
【００２７】
この結果、感光体ドラム１５は、ドラム支持部材４８を介してドラムシャフト１６に電気接続され、あるいはドラム支持部材４８、カラー４９及びＥリング５０を介して電気的に接続されるので、バネ部材４６を介して接地されることになる。
【００２８】
図１において、感光体ドラム１５の他端にはドラム支持部材兼用の回転伝達手段であるギヤ５１が導電性接着剤によって固定されている。このギヤ５１には駆動ギヤ５３が噛み合い、駆動ギヤ５３はフレーム２９ｂに固定された固定軸５２に、回転自在に嵌合されている。従って、駆動ギヤ５３が駆動され、ギヤ５１が回転すると、感光体ドラム１５は図２に示す矢印Ａ方向に回転する。ここでギヤ５１及び駆動ギヤ５３は図７に示すようにはすば歯車によって形成され、歯のねじり角が相互に逆方向に設定されている。従って、駆動ギヤ５３を矢印Ｇ方向に回転させると、ギヤ５１は矢印Ａ方向に回転し、このとき、駆動ギヤ５３に矢印Ｈ方向の、ギヤ５１に矢印Ｆ方向のスラスト力がそれぞれ発生させられる。従って、矢印Ｆ方向に発生させられたスラスト力によってドラム支持部材４８はカラー４９に押し付けられる。
尚、ドラム支持部材を兼ねるギヤ５１は、導電性が不要なため、潤滑剤を多量に含む、例えば、ポリアセタールから形成され、これによりドラムシャフト１６周面との接触面積が大きくても該シャフト１６上で円滑に回転する。
【００２９】
ドラムシャフト１６の他端は、カートリッジケース１４の側壁１４ｂを貫通して突出し、その端末１６ｂに形成された溝部が、フレーム２９ｂに係合している。これにより、バネ部材４６がドラムシャフト１６の一端側の端面１６ｃに大きな弾性力で当接してドラムシャフト１６と確実に接触し、かつスラスト力をドラム支持部材４８に加え、このドラム支持部材４８によりカラー４９をＥリング５０に確実に押し付けることができる。
【００３０】
画像形成カートリッジ１２内には、ギヤ５１を介して帯電ローラ１７、現像ローラ１８、スパイラルスクリュー２０、スポンジローラ２３、攪拌部材２５等を回転させることができるように、図示せぬ伝達ギヤが配設されている。
【００３１】
また、帯電ローラ１７、現像ローラ１８及びスポンジローラ２３に図示せぬ端子が接続され、各端子がカートリッジケース１４外に突出している。そして、フレーム２９内において、図示せぬ電圧印加用導電性バネ部材が、バネ部材４６と同じ側に配設され、上記各端子に接触し、帯電ローラ１７、現像ローラ１８及びスポンジローラ２３に高電圧を印加する。尚、電圧印加用導電性バネ部材は図示せぬ電源と接続される。
【００３２】
ところで、駆動ギヤ５３側には上記伝達ギヤ等の部品が配設されているので、駆動ギヤ５３側に電圧印加用導電性バネ部材を配設すると、駆動ギヤ５３側の構造が複雑になり、高電圧に対する安全性を確保することが困難になる。これに対して、本実施の形態においては、上述したように、駆動ギヤ５３と反対側に電圧印加用導電性バネ部材が配設されているので、駆動ギヤ５３側の構造を簡素化することができるだけではなく、高電圧に対する安全性を確保することができる。特に、複数の画像形成カートリッジ１２が併設されたカラー画像形成装置において効果的である。
【００３３】
また、図２に示す開閉カバー３０を開けたときに、画像形成カートリッジ１２を着脱することができるようになっているが、図１、図４に示すバネ部材４６は、上方に向けて斜め外方に延びるように配設されているので、画像形成カートリッジ１２を画像形成装置に装着したときに、ドラムシャフト１６とバネ部材４６とを良好に接触させることができる。
【００３４】
以上説明したように、感光体ドラム１５の内部に導電性のドラム支持部材４８が圧入又は導電性接着剤によって固定されているので、感光体ドラム１５とドラム支持部材４８とは電気的に接続されている。そして、感光体ドラム１５が矢印Ｆ方向のスラスト力を受けるので、ドラム支持部材４８の小径部がカラー４９を押圧し、カラー４９をＥリング５０に当接させ、ドラム支持部材４８とカラー４９を確実に接触させられ、また、ドラムシャフト１６がケース１４に位置決めされるので、その端面１６ｃとバネ部材４６とが確実に接触する。従って、感光体ドラム１５を、ドラム支持部材４８、カラー４９、ドラムシャフト１６及びバネ部材４６を介して確実に接地させることができる。
【００３５】
また、ドラム支持部材４８の小径部がドラムシャフト１６の周面に接触していることにより、感光体ドラム１５の接地ルートが増えるので、感光体ドラム１５を確実に接地させることができる上に、ドラム支持部材４８のドラムシャフト１６との接触面積が小さいことから、感光体ドラム１５を均一な速度で回転させることができる。更に、カラー４９はドラムシャフト１６に対して回転自在となっているので、カラー４９はドラム支持部材４８と共に回転してもドラムシャフト１６との間で抵抗が生じない。
【００３６】
以上本実施の形態においては、感光体ドラム１５を、ドラム支持部材４８、カラー４９、ドラムシャフト１６及びバネ部材４６を介して確実に接地させることができる。なお、カラー４９はＥリング５０に当接して所定の押圧力を持ってドラム支持部材４８の小径部に接触しているので、これらの間の電気的な接続は確実に行われる。
【００３７】
また、駆動ギヤ５３が配設されている側とは反対側にバネ部材４６が配設されているので、駆動ギヤ５３側の構造を簡素化することができる。更に高電圧に対する安全性を確保することができる。
【００３８】
またカラー４９をドラムシャフト１６に接触させて感光体ドラム１５を接地させることにより、上記したように、ドラム支持部材４８とドラムシャフト１６との接触面積を小さくすることができる。その結果、ドラムシャフト１６とドラム支持部材４８との間で生じる回転摩擦抵抗が小さくなり、これにより、感光体ドラム１５を等速度で回転させることができる。また、ドラム支持部材４８とドラムシャフト１６との間に、ベアリングを配設する必要が無いので、部品点数が増加せず、その結果、コストを低くすることができる。
【００３９】
更に、感光体ドラム１５の内部に、ドラムシャフト１６との間で接地に用いる板バネ等を配設する必要が無いので、組み立て作業が容易となり、その結果、コストを低くすることができる。そして上記スラスト力によって画像形成カートリッジ１２が駆動ギヤ５３とは反対側に付勢されるので、画像形成カートリッジ１２のフレーム２９に対する位置決めが容易に行える。
【００４０】
なお、カラー４９を、図８に示すように、ドラム支持部材４８に向かって徐々に拡径するような形状とし、図９に示すようにドラムシャフト１６に取り付けることにより、カラー４９がドラム支持部材４８と接触する面積を増加させることができると共に、ドラム支持部材４８とカラー４９とを一体的に回転させることができる。これにより、ドラム支持部材４８とカラー４９との電気的な接続を更に確実に行い、感光体ドラム１５を更に確実に接地させることができる。
【００４１】
図１０は他の実施形態に係る画像形成カートリッジの要部断面図である。この実施例では、カートリッジケース１４の両側壁１４ａ，１４ｂはフレーム６０の両端に固定されて相互に連結されている。そして、ドラムシャフト１６の他端１６ｂ側は側壁１４ｂに圧入されて固定され、更にその先端が側壁１４ｂから突出して図示しないフレーム２９ｂ（図１参照）に係入されている。
一方、ドラムシャフト１６の一端１６ａは側壁１４ａに貫挿され、ドラムシャフト１６の側壁１４ａとドラム支持部材４８との間に位置する周面上に、導電性金属から成るカラー４９が回転及び移動可能に装着されている。
【００４２】
この実施形態において、側壁１４ａはＥリングに代えてストッパーとして用いられている。即ち、感光体ドラム１５にギヤ５１によりスラスト力Ｆが加わると、ドラム支持部材４８の小径部４８ａがカラー４９を押圧して側壁１４ａに当接させるので、小径部４８ａとカラー４９とを確実に接触させることができる。
従って、ドラム支持部材４８、カラー４９、ドラムシャフト１６及びバネ部材４６（図１参照）を介し、感光体ドラム１５を接地することができる。
尚、上記実施形態において、ドラムシャフト１６の一端１６ａを側壁１４ａに圧入し、かつ貫通させるようにしてもよい。
【００４３】
図１１は、導電性金属から成るカラーの他の装着態様を示す図である。
即ち、カラー４９は、ドラム支持部材４８の小径部４８ａの環状凹所にその一部が圧入されてドラムシャフト１６上に装着されている。
尚、カラー４９の一部を、上記小径部４８ａの環状凹所に回転可能に挿入するようにしてもよい。
【００４４】
【発明の効果】
以上詳細に説明したように本発明によれば、カートリッジケース内に配される感光体ドラムを有し、カートリッジケースを介して画像形成装置に着脱可能に装着される画像形成カートリッジにおいて、感光体ドラム内の回転中心軸上に配され、カートリッジケースに支持される導電性を有する軸部材と、軸部材に回転及び移動可能に装着されて感光体ドラムを軸部材上で回転可能に支持する導電性を有するドラム支持部材と、軸部材のドラム支持部材の近傍周面に回転及び移動可能に装着され、感光体ドラムを接地するために導電材から形成されているカラーと、ドラム支持部材にカラーを押圧して接触させるべくスラスト力を加えるスラスト付与手段と、押圧されたカラーの軸部材上の移動を阻止するストッパーとを備えたことにより、感光体ドラムを確実に接地することができる。その結果、画像品位が低下したり、ノイズが発生して誤動作が生じてしまうことを防止することができる。
【００４５】
またドラム支持部材と軸部材との接触面積を小さくしても感光体ドラムを確実に接地させることができる。その結果、軸部材とドラム支持部材間の摺動抵抗を小さくすることができ、従って、感光体ドラムを等速で回転させることができる。
【図面の簡単な説明】
【図１】本発明の実施の形態に係る画像形成カートリッジの要部断面図である。
【図２】同画像形成カートリッジを組み込んだ画像形成装置の構成を示す説明図である。
【図３】本発明に係るカラーを取り付けたドラムシャフトの正面図である。
【図４】同画像形成カートリッジの要部を拡大して示す断面図である。
【図５】本発明に係るカラーの側面図である。
【図６】同画像形成カートリッジの要部の側面図である。
【図７】本発明に係る回転伝達手段を示す斜視図である。
【図８】他の実施形態に係るカラーの斜視図である。
【図９】図８のカラーが取り付けられた画像形成カートリッジの要部を示す断面図である。
【図１０】本発明の他の実施形態に係る画像形成カートリッジの要部断面図である。
【図１１】本発明に係るカラーの他の装着態様を示す断面図である。
【図１２】従来例の画像形成カートリッジを示す要部断面図である。
【符号の説明】
１１  画像形成装置
１２  画像形成カートリッジ
１５  感光体ドラム
１６  ドラムシャフト
４６  バネ部材
４８  ドラム支持部材
４９  カラー
５０  Ｅリング
５１  ギヤ
５３  駆動ギヤ
【図１】
0004008680.tif 000002
【図２】
0004008680.tif 000003
【図３】
0004008680.tif 000004
【図４】
0004008680.tif 000005
【図５】
0004008680.tif 000006
【図６】
0004008680.tif 000007
【図７】
0004008680.tif 000008
【図８】
0004008680.tif 000009
【図９】
0004008680.tif 000010
【図１０】
0004008680.tif 000011
【図１１】
0004008680.tif 000012
【図１２】
0004008680.tif 000013